(57)【要約】【課題】保護キャップを備えて使い易い手動式ディスペンサを提供する。【解決手段】手動式ディスペンサのポンプヘッド２は、スプレイ散布器として設計された出口開口部４を有するノズル形状の鼻腔用アダプタ３を備えた分配部分と、鼻腔用アダプタ３から横方向に突出してポンプヘッド２を操作するために役に立つグリップ表面５、６とを有する。手動式ディスペンサは、開くことができて形状的に鼻腔用アダプタ３に関して一致する２個のウィング１１、１２を有する保護キャップ１０を有する。グリップ表面５、６は、各対向側に端縁部を有し、端縁部はそれぞれのばね付き蝶番１３、１４を介して保護キャップ１０のウィング１１、１２に単一部片として連結される。【選択図】図２
2011212448.tif 000002
【特許請求の範囲】
【請求項１】
供給チャンバを有する容器と、該容器に固定可能なポンプヘッドとを有する、流動可能な媒体のための手動式ディスペンサであって、前記ポンプヘッドが、スプレイ散布器として設計された出口開口部を有するノズル形状の鼻腔用アダプタを備えた分配部分と、前記鼻腔用アダプタから横方向に突出して前記ポンプヘッドを操作するために役に立つグリップ表面とを有し、開くことができて形状的に前記鼻腔用アダプタに関して一致する２個のウィングを有する保護キャップを有する手動式ディスペンサにおいて、
前記グリップ表面（５、６）が各対向側に端縁部を有し、前記端縁部はそれぞれのばね付き蝶番（１３、１４）を介して前記保護キャップ（１０）のウィング（１１、１２）に単一部片として連結され、
前記ウィング（１１、１２）は、折り畳み状態において前記グリップ表面（５、６）に重なる基部表面（１５、１６）と、前記基部表面（５、６）と一体的に形成されて前記基部表面（５、６）から実質的に垂直に突出するとともに、前記ウィング（１１、１２）が折り畳まれて閉じている状態において形状的に前記鼻腔用アダプタ（３）に関して一致する残余部分とを有し、
前記ウィング（１１、１２）が折り畳まれていない状態において、前記基部表面（１５、１６）は前記グリップ表面（５、６）に重ならないとともに、前記残余部分は前記容器の底部に向けて外側に開くことを特徴とする手動式ディスペンサ。
【請求項２】
前記ばね付き蝶番（１３、１４）は、前記ウィング（１１、１２）の端部位置を固定するために設けられていることを特徴とする請求項１記載の手動式ディスペンサ。
【請求項３】
前記ウィング（１１、１２）がそれぞれ閉鎖くさび（２１、２２）を有し、該閉鎖くさび（２１、２２）は前記ウィング（１１、１２）が折り畳まれて閉じているときには前記ポンプヘッド（２）の上に配置されたロックピン（２３、２４）を偏向させることを特徴とする請求項１又は２記載の手動式ディスペンサ。
【請求項４】
前記ウィング（１１、１２）は、スナップ型ファスナ（２７）を介して折り畳み閉鎖状態に固定できることを特徴とする請求項１乃至３のうちいずれか一項に記載の手動式ディスペンサ。
【請求項５】
前記グリップ表面（５、６）は突出する滑り止め要素８３２）を有し、該滑り止め要素（３２）は、前記保護キャップ（１０）が閉じているときにはウィング（１１、１２）の基部表面の領域における凹部の中に下降することを特徴とする請求項１乃至４のうちいずれか一項に記載の手動式ディスペンサ。
【請求項６】
前記ウィング（１１、１２）が、前記保護キャップ（１０）が閉じているときにそれぞれの他のウィング（１１、１２）に整列係合するための溝及びばね（３０、３１）を備えたウィング支承表面（２８、２９）を有することを特徴とする請求項１乃至５のうちいずれか一項に記載の手動式ディスペンサ。
【発明の詳細な説明】
【技術分野】
【０００１】
本発明は、供給チャンバを有する容器及びこの容器に固定可能なポンプヘッドを有する、流動可能な媒体のための手動式ディスペンサに関する。
【背景技術】
【０００２】
特許文献１は、使用しないときには鼻腔用アダプタを汚れや破損から保護するための保護キャップを備えた手動式ディスペンサを開示している。この保護キャップは、ウィングとして固定される２個の保護キャップ半体を備え、これらの保護キャップ半体は、形状的に蝶番を介して鼻腔用アダプタのノズル状の分配部分に一致する。ウィングは、折り畳まれていない状態ではポンプヘッドを操作するためのグリップ表面を形成する。この形式のディスペンサは、ほっそりした構造形状を呈するという利点がある。しかし、ウィングを介する動作圧のポンプヘッドへの伝達は安定した支持要素を必要とすることになり、この結果ディスペンサはより重くなり、したがって必然的に使い難くなる。
【先行技術文献】
【特許文献】
【０００３】
【特許文献１】欧州特許出願公開第１１３２１４３号明細書（ＥＰ１１３２１４３Ａ２）
【発明の概要】
【発明が解決しようとする課題】
【０００４】
したがって、本発明の目的は、保護キャップを備えて使い易い請求項１の事前特徴記載節に記載のディスペンサを提供することである。
【課題を解決するための手段】
【０００５】
この目的は、請求項１の特徴記載部分の特色によって達成される。
本発明は、開くことも折り畳んで閉じることもできる保護キャップを有するディスペンサを提供する。保護キャップは、２個の保護キャップ半体を備えると共にディスペンサヘッドに束縛的に固定されている。保護キャップ半体は、形状的に一致するウィングとして設計されており、グリップ表面の端縁部においてばね付き蝶番を介してポンプヘッドに連結されている。ばね付き蝶番の使用は、長い使用寿命を保証するのみならず、軽量の保護キャップを提供するという可能性も作り出す。その上、グリップ表面の端縁部に保護キャップ半体を結合することによって、保護キャップを、ディスペンサのヘッド側全体の形状的に合った覆いの形で設計することができる。
【０００６】
さらに又、開くことができる保護キャップがポンプヘッドの設計において実質的な変化を何ら必要としないことは有利である。保護キャップは簡単に取り付けできる。分配部分及び保護キャップは、射出成形によって１つの部品とすることもできる。
保護キャップの半体すなわちウィングは、ばね付き蝶番によって端部位置に固定されている。これに関してリブなどの補助手段を不要にすることができる。保護キャップ半体の上に閉塞ウェッジを備えることができ、この閉塞ウェッジはグリップ部分を通じて下降することができ、ロックピンを偏向させることができる。閉じた保護キャップによって保護することができるポンプヘッドは、同時に閉塞可能にすることもできる。
本発明のさらなる詳細は、下記の説明と従属請求項から集めることができる。
【発明の効果】
【０００７】
本発明に係る手動式ディスペンサによれば、保護キャップを構成するウィングを介さずにポンプヘッドを操作できて、使いやすい手動式ディスペンサを提供することができる。
【図面の簡単な説明】
【０００８】
【図１】保護キャップを閉じたディスペンサの概略側面図である。
【図２】保護キャップを開いたディスペンサの概略側面図である。
【図３】ディスペンサの概略平面図である。
【図４】閉塞手段の領域における小区分を有する保護キャップを閉じたディスペンサの概略側面図である。
【発明を実施するための形態】
【０００９】
本発明を以下に、添付の図面に図解された例示的な実施形態を参照してさらに詳細に説明する。
図１及び図２は、供給チャンバを有する容器１とこれに固定可能なポンプヘッド２とを有する、流動可能な媒体のための手動式ディスペンサを示す。ポンプヘッド２は、ノズル形状の鼻腔用アダプタ３を備えた分配部分を備えている。鼻腔用アダプタ３は、ヘッド端部においてスプレイ散布器として設計された出口開口部４を有する。鼻腔用アダプタ３から横方向に突出するグリップ表面５、６が各対向側部に延在している。グリップ表面５，６は、中央部分７を介して連結することができる。
【００１０】
鼻腔用アダプタ３は、容器１に固定されている滑りプランジャポンプ９のプランジャ８に組み立てられる。１回又はそれ以上で一投入量を分配するために、鼻腔用アダプタ３及び容器１は、グリップ表面５、６の上に少なくとも１本の指を置くことによって互いに移動する。
ポンプヘッド２はさらに、２個の半体を備えると共に２個のウィング１１、１２を有する保護キャップ１０を具備している。これら２個のウィング１１、１２は開くことができ、形状的に一致する。ウィング１１、１２をポンプヘッド２に固定するために、グリップ表面５、６は各対向側部に端縁部を有し、端縁部はそれぞれのばね付き蝶番１３、１４を介して保護キャップ１０のウィング１１、１２に単一部片として連結されている。この目的のために、ウィング１１、１２は、保護キャップ１０が閉じているときにはグリップ表面５、６を覆う基部表面１５、１６を有する。
【００１１】
ばね付き蝶番１３、１４によって、ウィング１１、１２を開くこと及び折り畳んで閉じることができ、この結果、保護キャップ１０を開閉することができる。開いた状態では、ウィング１１、１２はポンプヘッド２に連結されたままであり、この結果ウィング１１、１２を紛失することはない。保護キャップ１０を、グリップ表面５、６と共に射出成形して１つの部品にすることが好ましい。ここでは保護キャップ１０を薄壁の設計にすることができる。
各ウィング１１、１２は、ウィング１１、１２が折り畳まれて閉じているとき、すなわち保護キャップ１０が閉じているとき、ポンプヘッド２の上に配置されたロックピン２３、２４を偏向させる閉塞ウェッジ２１、２２を有することが好ましい（図３及び４を参照）。この目的のために、閉塞ウェッジ２１、２２は凹部２５、２６を通ってグリップ表面５、６の中に下降する。
【００１２】
ウィング１１、１２は折り畳み閉鎖状態では、例えば横又はヘッド端部クリップファスナもしくはスナップ型ファスナ２７を介して固定可能にすることができる。さらに又、ウィング１１、１２は、保護キャップ１０が閉じているときにそれぞれ他のウィング１１、１２に整列係合するためのウィング支承表面２８、２９上に溝／ばね３０、３１を有することができる。
最後に、グリップ表面５、６は突出する滑り止め要素３２を備えることができ、この滑り止め要素３２は、保護キャップ１０が閉じているときにはウィング１１、１２の基部表面の領域における凹部の中に下降することができる。
【符号の説明】
【００１３】
１  容器
２  ポンプヘッド
３  鼻腔用アダプタ
４  出口開口部
５、６  グリップ表面
８  プランジャ
９  プランジャポンプ
１０  保護キャップ
１１、１２  ウィング
１３、１４  ばね付き蝶番
１５、１６  基部表面
２１、２２  閉塞ウェッジ
２３  ロックピン
２５、２６  凹部
２７  スナップ型ファスナ
２８、２９  ウィング支承表面
３０、３１  ばね
３２  滑り止め要素
【図１】
2011212448.tif 000003
【図２】
2011212448.tif 000004
【図３】
2011212448.tif 000005
【図４】
2011212448.tif 000006